(57)【要約】【課題】操作弁に接続され室内機に連なるよう建物の壁面に沿って固定された接続配管で外胴の側面を支持することにより前後に転倒しないようにした空気調和機の室外機を提供する。【解決手段】圧縮機、熱交換器、送風機および電装部等を載置し、一側に操作弁５を取り付けたベースと、外気を吸い込む吸込口および吐き出す吐出口８を備えて前記ベースに被着された外胴９と、前記操作弁５に接続され室内機に連なるよう壁面に沿って固定された接続配管１０と、前記電装部に接続され室内機に連なるよう前記接続配管１０と共に固定された電源コード１１とで構成されてなる空気調和機の室外機において、前記操作弁５に接続された前記接続配管１０が、前記外胴９の側面に沿って立ち上げられると共に、同外胴９の側面上部に固定部材１４によって固定されるようにした。【選択図】  図３
2004317039.tif 000002
【特許請求の範囲】
【請求項１】
圧縮機、熱交換器、送風機および電装部等を載置し、一側に操作弁を取り付けたベースと、外気を吸い込む吸込口および吐き出す吐出口を備えて前記ベースに被着された外胴と、前記操作弁に接続され室内機に連なるよう壁面に沿って固定された接続配管と、前記電装部に接続され室内機に連なるよう前記接続配管と共に固定された電源コードとで構成されてなる空気調和機の室外機において、
前記操作弁に接続された前記接続配管が、前記外胴の側面に沿って立ち上げられると共に、同外胴の側面上部に固定部材によって固定されるようにしてなることを特徴とする空気調和機の室外機。
【請求項２】
前記電源コードが、前記電装部との間にたるみを有して、前記接続配管と共に前記外胴の側面上部に固定されるようにしてなることを特徴とする請求項１に記載の空気調和機の室外機。
【請求項３】
前記接続配管および、または前記電源コードを前記外胴の側面上部に固定する固定部が、同外胴に設けられた固定部と、同固定部に固定される固定片および前記接続配管および、または前記電源コードを拘持する拘持片とを備えた前記固定部材からなることを特徴とする請求項１または請求項２に記載の空気調和機の室外機。
【請求項４】
前記固定部材が弾性を有する合成樹脂からなることを特徴とする請求項３に記載の空気調和機の室外機。
【請求項５】
前記固定部が一対のねじ孔からなる一方、前記固定部材の拘持片を凹状に形成すると共に、その両端に連続形成された前記固定片に前記ねじ孔に対応する固定孔を設け、同固定孔を通したねじを前記ねじ孔に螺着するようにしてなることを特徴とする請求項３に記載の空気調和機の室外機。
【請求項６】
前記固定部が係止孔およびねじ孔からなる一方、前記固定部材の拘持片を凹状に形成すると共に、その一端に前記係止孔に対応する係止爪を、他端に前記ねじ孔に対応する固定孔を備えた固定片を夫々設け、前記係止孔に前記係止爪を係止すると共に、前記固定孔を通したねじを前記ねじ孔に螺着するようにしてなることを特徴とする請求項３に記載の空気調和機の室外機。
【発明の詳細な説明】
【０００１】
【発明の属する技術分野】
本発明は、空気調和機の室外機に係わり、より詳細には、操作弁に接続され室内機に連なるよう建物の壁面に沿って固定された接続配管で外胴の側面を支持することにより前後に転倒しないようにした構造に関する。
【０００２】
【従来の技術】
従来の室外機の固定構造として、室外機にワイヤを確実に取り付け、該ワイヤによって室外機の転倒を確実に防止するものとして、室外機の上部周辺の対向する部位に取り付けられた複数の固定金具のうち、対向する位置にある２つの固定金具に対してワイヤが取り付けられ、このワイヤは、両端が固定台に固定される一方、上記２つの固定金具に設けられたピンにそれぞれ１回以上巻回して取り付けられ、締付部材によってこのワイヤを緊張状態に保持すると、一方の固定金具のピンには、該ピンからワイヤの端部へ向かう方向の力と、該ピンから他方の固定金具のピンヘ向かう方向の力とが作用することになり、これにより、上記２方向の力の合力が固定金具を介して室外機に作用して室外機が固定台に固定され、室外機の転倒が防止されるようにしてなるものがあった（例えば、特許文献１参照。）。
【０００３】
しかしながら、上記構成においては、複数のワイヤによって室外機の転倒が防止されるようになっていることから、このワイヤを取り付けるための面倒な作業が必要になってしまったり、また、この室外機の周辺にワイヤが張り巡らされてしまうことになるため、設置スペースを実質的に広く占有してしまうことになってしまうという問題点を有していた。
【０００４】
【特許文献１】
特開平１１−１１８２０７号公報（第１頁〜第４頁、第１図）
【０００５】
【発明が解決しようとする課題】
本発明においては、上記の問題点に鑑み、操作弁に接続され室内機に連なるよう建物の壁面に沿って固定された接続配管で外胴の側面を支持することにより前後に転倒しないようにした空気調和機の室外機を提供することを目的とする。
【０００６】
【課題を解決するための手段】
本発明は、上記課題を解決するため、圧縮機、熱交換器、送風機および電装部等を載置し、一側に操作弁を取り付けたベースと、外気を吸い込む吸込口および吐き出す吐出口を備えて前記ベースに被着された外胴と、前記操作弁に接続され室内機に連なるよう壁面に沿って固定された接続配管と、前記電装部に接続され室内機に連なるよう前記接続配管と共に固定された電源コードとで構成されてなる空気調和機の室外機において、
前記操作弁に接続された前記接続配管が、前記外胴の側面に沿って立ち上げられると共に、同外胴の側面上部に固定部材によって固定されるようにしてなる構成となっている。
【０００７】
また、前記電源コードが、前記電装部との間にたるみを有して、前記接続配管と共に前記外胴の側面上部に固定されるようにしてなる構成となっている。
【０００８】
また、前記接続配管および、または前記電源コードを前記外胴の側面上部に固定する固定部が、同外胴に設けられた固定部と、同固定部に固定される固定片および前記接続配管および、または前記電源コードを拘持する拘持片とを備えた前記固定部材からなる構成となっている。
【０００９】
また、前記固定部材が弾性を有する合成樹脂からなる構成となっている。
【００１０】
また、前記固定部が一対のねじ孔からなる一方、前記固定部材の拘持片を凹状に形成すると共に、その両端に連続形成された前記固定片に前記ねじ孔に対応する固定孔を設け、同固定孔を通したねじを前記ねじ孔に螺着するようにしてなる構成となっている。
【００１１】
更に、前記固定部が係止孔およびねじ孔からなる一方、前記固定部材の拘持片を凹状に形成すると共に、その一端に前記係止孔に対応する係止爪を、他端に前記ねじ孔に対応する固定孔を備えた固定片を夫々設け、前記係止孔に前記係止爪を係止すると共に、前記固定孔を通したねじを前記ねじ孔に螺着するようにしてなる構成となっている。
【００１２】
【発明の実施の形態】
以下、本発明の実施の形態を図面に基づいた実施例として詳細に説明する。
図１は本発明による空気調和機の室外機の透過斜視図であり、図２は本発明による空気調和機の室外機の要部斜視図であり、図３は本発明による空気調和機の室外機の説明図で、（Ａ）は外観斜視図、（Ｂ）は一実施例を示す要部分解斜視図、（Ｃ）は他の実施例を示す要部分解斜視図である。
【００１３】
図で示すように、本発明による空気調和機の室外機は、ベース６上に、圧縮機１、熱交換器２、送風機３および電装部４等を載置し、一側に接合された取付金具Ｂにより操作弁５を取り付けると共に、後面に外気を吸い込む吸込口７を、前面に吐き出す吐出口８を夫々備えた外胴９が被着された構成になっている。
【００１４】
前記ベース６の下面には、据付のための前後に延びる平行な脚部Ａが設けられており、同脚部Ａを据付用のブロック上に載置して室外機を据付設置するようになっている。
【００１５】
前記操作弁５には、図示しない室内機に連なる接続配管１０が接続され、その一部が固定金具１６により建物の壁面に沿って固定されるようになっており、また、前記電装部４には、図示しない室内機に連なる電源コード１１が接続され、前記接続配管１０といっしょに固定されるようになっている。
【００１６】
そして、前記脚部Ａが例えば前記ブロック上に載置されたままの状態で固着されていないような場合、上記従来技術のように複数のワイヤを取り付けることなく、簡便な支持構造によって室外機が前後に転倒してしまわないよう支持できるように構成されている。
【００１７】
すなわち、室外機が転倒してしまわないように支持するため、前記操作弁５に接続された前記接続配管１０が、前記外胴９の側面に沿って立ち上げられると共に、同外胴９の側面上部に固定部材１４によって固定されるようになっている。
【００１８】
これにより、前記固定金具１６によって建物の壁面に固定された前記接続配管１０が前記外胴９の側面上部にも前記固定部材によって固定されることになるので、これら固定金具１６および前記固定部材１４の間における前記接続配管１０の剛性によって、上述したとおり室外機が前後に転倒してしまわないように支持される構造になる。
【００１９】
前記接続配管１０を前記外胴９の側面上部に固定するための固定手段が、同外胴９に設けられた固定部と、同固定部に固定される固定片１３および前記接続配管１０を拘持する拘持片１２とを備えた前記固定部材１４からなる構成となっており、前記操作弁５に接続されて立ち上げられた前記接続配管１０を、前記固定手段によって前記外胴９の側面上部に固定するだけの簡便な構成により、室外機を前後に転倒させないよう効果的に支持できることになる。
【００２０】
なお、前記電源コード１１も、前記電装部４との間に多少のたるみをもたせた状態で、前記固定部材１４によって前記接続配管１０といっしょに前記外胴９の側面に固定されるようにしてもよい。
【００２１】
その際、前記接続配管１０は、その剛性によって室外機が転倒してしまわないように支持できる機能を有する一方、前記電源コード１１は、前記電装部４との間に多少のたるみをもたせることで、張力が掛からなくなるため損傷してしまうといったおそれがなくなる。
【００２２】
次に、図面に基づいて、前記固定部材１４および前記固定部の構成について説明する。
すなわち、一実施例として図３（Ｂ）で示すように、前記固定部が一対のねじ孔１５からなる一方、前記固定部材１４の拘持片１２を凹状に形成すると共に、その両端に連続形成された前記固定片１３に前記ねじ孔１５に対応する固定孔１７を設け、同固定孔１７を通したねじ１８を前記ねじ孔１５に螺着するようになっている。
【００２３】
これにより、前記接続配管１０が有する剛性によって室外機が前後に転倒してしまわないように支持できる構造になるので、例えば上記従来技術のように、複数のワイヤを取り付けるといった大掛かりな支持構造が不要になる。
【００２４】
または、他の実施例として図３（Ｃ）で示すように、前記固定部が係止孔１９およびねじ孔１５からなる一方、前記固定部材１４の拘持片１２を凹状に形成すると共に、その一端に前記係止孔１９に対応する係止爪２０を、他端に前記ねじ孔１５に対応する固定孔１７を備えた固定片１３を夫々設け、前記係止孔１９に前記係止爪２０を係止すると共に、前記固定孔１７を通したねじ１８を前記ねじ孔１５に螺着するようになっている。
【００２５】
これにより、上記一実施例の場合に比べて、前記固定部材１４の一端を前記係止孔１９に係止したのち、前記固定孔１７を通したねじ１８を前記ねじ孔１５に螺着すればよいので、ねじ締め箇所を半減させることができて前記固定部材１４を取り付けるための作業性がよくなる。
【００２６】
なお、前記固定部材１４は弾性を有する合成樹脂によって廉価な成形品として提供できるようになっており、また、前記接続配管１０および前記電源コード１１を損傷させることなく、これらを前記外胴９の側面に押圧させた状態で正確に固定できるようになっている。
【００２７】
【発明の効果】
以上説明したように、本発明によれば、操作弁に接続され室内機に連なるよう建物の壁面に沿って固定された接続配管で外胴の側面を支持することにより前後に転倒しないようにした空気調和機の室外機となる。
【図面の簡単な説明】
【図１】本発明による空気調和機の室外機の透過斜視図である。
【図２】本発明による空気調和機の室外機の要部斜視図である。
【図３】本発明による空気調和機の室外機の説明図で、（Ａ）は外観斜視図であり、（Ｂ）は一実施例を示す要部分解斜視図であり、（Ｃ）は他の実施例を示す要部分解斜視図である。
【符号の説明】
１  圧縮機
２  熱交換器
３  送風機
４  電装部
５  操作弁
６  ベース
７  吸込口
８  吐出口
９  外胴
１０  接続配管
１１  電源コード
１２  拘持片
１３  固定片
１４  固定部材
１５  ねじ孔
１６  固定金具
１７  固定孔
１８  ねじ
１９  係止孔
２０  係止爪
Ａ  脚部
Ｂ  取付金具
【図１】
2004317039.tif 000003
【図２】
2004317039.tif 000004
【図３】
2004317039.tif 000005